(57)【要約】      （修正有）【課題】もともと主基板に配設されるべき部材を利用することで、副基板を主基板に対して容易かつ強固に固定することができる副基板の固定構造を提供する。【解決手段】主基板Ｐには、副基板１０とは別部材で構成され、その端部に上方に向けて開放されたコ字状の支持片２１を有する板状部材２０が配設され、副基板１０は、コ字状支持片２１に隣接して配設されるとともに、副基板１０の上部とコ字状支持片２１の端面とが、内側に向けて弾性力を発揮する一対のバネ脚部を有する固定治具３０で狭持される。【選択図】図２
2006024838.tif 000002
【特許請求の範囲】
【請求項１】
主基板に略垂直に立設される副基板の固定構造であって、
前記主基板には、前記副基板とは別部材で構成され、その端部に上方に向けて開放されたコ字状の支持片を有するシールドケース又は放熱板が配設され、
前記副基板は、前記コ字状支持片に隣接して配設され、
前記コ字状支持片の外面および前記副基板の前記コ字状支持片と接する面に形成された係合部を係合させることで前記副基板と前記コ字状支持片とが接合され、
板状部材を略コ字状に折り曲げて成形されてなり内側に向けて弾性力を発揮する一対のバネ脚部を有する固定治具を用いて、前記一対のバネ脚部の先端に形成されたＶ字状係止部を前記副基板又は前記コ字状支持片の少なくとも一方に設けられた係合部に係合させて前記副基板と前記コ字状支持片を狭持することを特徴とする副基板の固定構造。
【請求項２】
主基板に略垂直に立設される副基板の固定構造であって、
前記主基板には、前記副基板とは別部材で構成され、その端部に上方に向けて開放されたコ字状の支持片を有する板状部材が配設されており、
前記副基板は、前記コ字状支持片に隣接して配設されるとともに、該副基板の上部と前記コ字状支持片とが、内側に向けて弾性力を発揮する一対のバネ脚部を有する固定治具で狭持されて固定されていることを特徴とする副基板の固定構造。
【請求項３】
前記一対のバネ脚部は、板状部材を略コ字状に折り曲げて成形されるとともに、その先端にはＶ字状係止部が形成され、
前記副基板又は前記コ字状支持片の少なくとも一方は、前記Ｖ字状係止部と係合可能な係合部を有することを特徴とする請求項２に記載の副基板の固定構造。
【請求項４】
前記コ字状支持片の外面および前記副基板の前記コ字状支持片と接する面には、互いに係合可能な係合部が形成されていることを特徴とする請求項２又は３に記載の副基板の固定構造。
【請求項５】
前記コ字状支持片は、主基板上に配設されるシールドケース又は放熱板に形成されていることを特徴とする請求項２から４の何れかに記載の副基板の固定構造。
【発明の詳細な説明】
【技術分野】
【０００１】
本発明は、主基板に対して副基板を垂直に立設した状態で固定するための副基板の固定構造に関する。
【背景技術】
【０００２】
従来、ビデオテープレコーダ（ＶＴＲ）等のＡＶ機器を初めとする電子機器には、省スペース化及び電気配線の簡略化を図るために主基板に対して副基板を垂直に取り付ける構造が用いられている。一般には、この副基板のことを立ち基板と呼ぶ。
【０００３】
図６は、従来の立ち基板の固定構造を示すＶＴＲのデッキ部分の分解斜視図である。図６に示すように、デッキＤの下部に録画再生回路やモータ制御回路等を実装したプリント配線基板Ｐが固定されており、デッキＤの上方はシールドケース２０で覆われている。また、立ち基板（副基板）１０は、プリント配線基板Ｐに設けられたコネクタＣ１に立ち基板１０の下部に設けられたコネクタＣ２を接続することで立設されている。さらに、立ち基板１０は、切欠部１２に固定治具４０の先端のフック部を係合させて、該固定治具４０をプリント配線基板Ｐにビス止めすることにより固定されている。このように、従来はプリント配線基板Ｐに固定可能な固定治具４０で立ち基板１０を支えることで、立ち基板１０が傾いてしまうのを防止するようにしている。
【０００４】
また、本出願人は、立ち基板の固定構造として種々の方法を提案しており、例えば、特許文献１では、合成樹脂製のケースの天板に立ち基板を保持するための凹部を有するリブを設け、前記凹部で立ち基板の上端を挟み込んで立ち基板を保持固定するようにした技術を提案している。
【特許文献１】特開２０００−６８６６８号公報
【発明の開示】
【発明が解決しようとする課題】
【０００５】
しかしながら、図６に示す従来の固定構造においては、固定治具４０をビス止めすることで立ち基板１０をプリント配線基板Ｐに固定するため、そのスペースをプリント配線基板Ｐに確保する必要があり省スペース化の妨げとなるうえ、立ち基板１０の上部はフリーであるため比較的不安定な状態となる。また、プリント配線基板Ｐに固定治具２０をビス止めするという比較的面倒な取付工程が必要となる。
【０００６】
また、上記先願技術においては、立ち基板の上端がケースの天板に設けられたリブで狭持されるようにケースを取り付けなければならないので、必ずしも組み立て工程が容易であるとは言えない。
【０００７】
本発明は、もともと主基板に配設されるべき部材を利用することで、副基板を主基板に対して容易かつ強固に固定することができる副基板の固定構造を提供することを目的とする。
【課題を解決するための手段】
【０００８】
本発明は、上記課題を解決するためになされたもので、主基板に略垂直に立設される副基板（いわゆる立ち基板）の固定構造において、前記主基板には、前記副基板とは別部材で構成され、その端部に上方に向けて開放されたコ字状の支持片を有する板状部材が配設され、前記副基板は、前記コ字状支持片に隣接して配設されるとともに、該副基板の上部と前記コ字状支持片の端面とが、内側に向けて弾性力を発揮する一対のバネ脚部を有する固定治具で狭持されて固定されるようにしたものである。すなわち、副基板には各種素子が配設されるため、主基板に配設される板状部材と副基板を直接密着させることは困難であるので、板状部材の端部にコ字状支持片を形成し、該コ字状支持片の端面と副基板とをクリップのような固定治具で狭持するようにした。
【０００９】
ここで、主基板に配置される板状部材とは、副基板の固定用に新たに設けられた部材ではなく、シールドケース（の一側面）や放熱板等のように、もともと主基板に配設されるべき板状部材を意味する。例えば、ビデオテープレコーダの場合、主基板に固定されるデッキのフレーム等も含まれる。
【００１０】
具体的には、前記一対のバネ脚部は、板状部材を略コ字状に折り曲げて成形されるとともに、前記一対のバネ脚部の先端にＶ字状係止部を形成され、前記副基板又は前記コ字状支持片の少なくとも一方は、前記Ｖ字状係止部と係合可能な係合部を有するようにした。すなわち、前記Ｖ字状係止部を前記副基板又は前記コ字状支持片の少なくとも一方に設けられた係合部に係合させて、前記副基板と前記コ字状支持片を狭持するようにした。これにより、固定治具は非常に簡易な構造で、かつ取り付けやすく抜けにくい構造となる。
【００１１】
また、前記コ字状支持片の端面外側および前記副基板の前記コ字状支持片と近接する面には、互いに係合可能な係合部が形成され、これらを係合させることで副基板とコ字状支持片とを正確に位置決めできるようにした。
【００１２】
また、前記コ字状支持片は、もともと主基板上に配設されるシールドケース又は放熱板を利用してその端面に形成することができる。
【発明の効果】
【００１３】
本発明によれば、主基板には、副基板とは別部材で構成され、その端部に上方に向けて開放されたコ字状の支持片を有する部材（例えばシールドケースの側面又は放熱板）が配設され、副基板は、前記コ字状支持片に隣接して配設されるとともに、該副基板の上部と前記コ字状支持片の端面とが、内側に向けて弾性力を発揮する一対のバネ脚部を有する固定治具で狭持されるようにして副基板の上部が固定されるようにしたので、非常に簡単な構造で副基板を支持することができる。
【００１４】
また、固定治具のバネ脚部で狭持するだけなので取付工程も非常に簡便なものとなる。さらに、もともと主基板に配設されるシールドケースや放熱板を利用するためコストが増大する心配もない。
【００１５】
また、シールドケースや放熱板に限らず、主基板に配設された板状部材を副基板の支持部材として利用するため、副基板を配設する範囲を拡大することができ、設計上の制限が緩和される。
【発明を実施するための最良の形態】
【００１６】
以下、本発明の好適な実施の形態を図面に基づいて説明する。
【００１７】
図１は、本発明に係るビデオテープレコーダ（以下、ＶＴＲと略する）のデッキ部分の分解斜視図である。図１に示すように、デッキＤの下部には録画再生回路やモータ制御回路等を実装したプリント配線基板Ｐが固定されている。また、デッキＤの上方はシールドケースＳで覆われ、シールドケースＳはその側面Ｓｂがプリント配線基板Ｐと略垂直になるようにプリント配線基板Ｐにビス止めされている。
【００１８】
また、本実施形態のＶＴＲでは、省スペース化及び電気配線の簡略化を図るために主基板に対して垂直に副基板（立ち基板）１０を配設している。この立ち基板１０は、プリント配線基板Ｐに設けられたコネクタＣ１に体基板１０の下部に設けられたコネクタＣ２を接続することで立設されている。
【００１９】
さらに、本実施形態では、シールドケースＳの側面Ｓｂを利用して立ち基板１０を固定するようにしている。本実施形態に係る立ち基板１０の固定構造を図２に示す。
【００２０】
図１，２に示すように、シールド側面Ｓｂの後方端部には板金成型により上方に開放されたコ字状支持片Ｓａが形成されている。また、立ち基板１０は、シールドケースＳに設けられたコ字状支持片Ｓａの端面に隣接するように配設される。
【００２１】
また、シールドケースＳのコ字状支持片Ｓａの端面外側にはずれ防止用の突部（図示略）が設けられ、立ち基板１０には前記突部と係合可能な凹部（図示略）が設けられている。そして、これらを係合させることにより立ち基板１０とコ字状支持片Ｓａとを正確に位置決めした後、両者の上部をクリップ状の固定治具３０で狭持することで立ち基板１０を固定している。
【００２２】
具体的には、固定治具３０は、例えば図３に示すように、板状部材を略コ字状に折り曲げて成形され、内側に向けて弾性力を発揮する一対のバネ脚部３２，３２が連結部３１で連結された構造となっている。また、バネ脚部３２の先端近傍にはＶ字状係止部３３が形成され、何も狭持されない状態では弾性力によりＶ字状係止部３３、３３同士が接するようになっている。また、立ち基板１０とシールドケースＳのコ字状支持片Ｓａとを容易に挟み込むように取り付けるために、バネ脚部３２の先端は外側に向けて広がっている。
【００２３】
一方、立ち基板の上部には、図４に示すように、固定治具３０のＶ字状係止部３３と係合可能なスリット（係合部）１０ａが形成されている。このスリット１０ａに固定治具３０のＶ字状係止部３３を係合させることで、立ち基板１０とシールドケースＳを狭持する。また、図３に示すように、固定治具３０に設けられたＶ字状係止部３３は比較的鋭角に形成されているので、このＶ字状係止部３３が立ち基板１０のスリット１０ａに係合されると容易には抜け落ちることはなく、立ち基板１０は強固に固定されることとなる。
【００２４】
なお、本実施形態では、固定治具３０のＶ字状係止部３３との係合部として立ち基板１０にスリット１０ａを設けるようにしているが、シールドケースＳのコ字状支持片Ｓａに設けるようにしてもよいし、もちろん両方に設けてもよい。また、係合部の形状は特に制限されず、貫通しない係合溝であっても構わない。
【００２５】
このように、本実施形態の立ち基板の固定構造によれば、シールドケースＳの側面Ｓｂを利用して立ち基板１０を支持するためのコ字状支持片Ｓａを形成し、このコ字状支持片Ｓａと立ち基板１０とを固定治具３０で狭持して固定するようにしているので、非常に簡単な構造で立ち基板１０を支持固定することができる。また、シールドケースＳは、もともとプリント配線基板Ｐに配設されるべき部材であるため、コストの増大も最小限に抑えることができる。また、立ち基板１０とコ字状支持片Ｓａとを接合した状態で上方から固定治具３０をはめ込むだけで狭持することができるので、取付工程も非常に簡便なものとなる。
【００２６】
以上、本発明者によってなされた発明を実施形態に基づいて具体的に説明したが、本発明は上記実施形態に限定されるものではなく、その要旨を逸脱しない範囲で変更可能である。
【００２７】
例えば、上記実施形態ではシールドケースＳにコ字状支持片Ｓａを形成するようにしているが、主基板上に配設される放熱板にコ字状支持片を形成するようにしてもよい。また、シールドケースや放熱板に限らず、主基板に配設された板状部材を副基板の支持部材として利用することができる。例えば、上記実施形態において、プリント配線基板Ｐに固定されるデッキＤのフレーム等を利用することができる。
【００２８】
また、固定治具３０の形状は上記実施形態に示したものに制限されず、例えば図５に示すような市販のクリップを使用することも可能である。
【図面の簡単な説明】
【００２９】
【図１】本発明に係るビデオテープレコーダのデッキ部分の分解斜視図である。
【図２】立ち基板１０の固定構造を示す断面図である。
【図３】固定治具３０の一例を示す斜視図である。
【図４】立ち基板１０の上部形状を示す斜視図である。
【図５】固定治具３０の他の例を示す斜視図である。
【図６】従来の立ち基板１０の固定構造を示すビデオテープレコーダのデッキ部分の分解斜視図である。
【符号の説明】
【００３０】
Ｄ  デッキ
Ｐ  プリント配線基板
１０  副基板（立ち基板）
１１  スリット
２０  シールドケース
２１  コ字状支持片
２２  シールドケース側面
３０  固定治具
３１  連結部
３２  バネ脚部
３３  Ｖ字状係止部
【図１】
2006024838.tif 000003
【図２】
2006024838.tif 000004
【図３】
2006024838.tif 000005
【図４】
2006024838.tif 000006
【図５】
2006024838.tif 000007
【図６】
2006024838.tif 000008